(57)【要約】【課題】頭髪の染色時等に用いるバックミラーを不使用時に保管スペースをとらないようにする。【解決手段】顔の正面側を除いて、後頭部を囲む背面側、頭頂部を囲む上面側、頭部の左右両側を囲む側面側を平面状または円弧状に囲むミラー本体を備え、該ミラー本体を折り畳めるようにヒンジ部を介して複数に分割して構成していることを特徴とする頭髪用バックミラーを提供する。【選択図】図１
2010057889.tif 000002
【特許請求の範囲】
【請求項１】
顔の正面側を除いて、後頭部を囲む背面側、頭頂部を囲む上面側、頭部の左右両側を囲む側面側を平面状または円弧状に囲むミラー本体を備え、該ミラー本体を折り畳めるようにヒンジ部を介して複数に分割して構成していることを特徴とする頭髪用バックミラー。
【請求項２】
前記ミラー本体は、それぞれ平面材からなる背面板、上面板、左右の側面板からなる四面鏡に分割し、前記背面板の上端縁に前記上面板、該背面板の左右両側縁に前記側面板をヒンジ部で連結し、前記上面板および側面板を背面板に重ねて折り畳みできるようにしている請求項１に記載の頭髪用バックミラー。
【請求項３】
前記左右の両側面板の上部は外縁は上下直線方向に延長し、上端から前記上面板と前記ヒンジ部の上端に向けて傾斜した三角形状の上部突出部を設け、
前記上面板に背面板と同一幅の左右両側にヒンジ部を介して上面左右両側部を設け、該上面左右両側部は、前記背面板とのヒンジ部の左右両端から上端に向けて傾斜した三角形状とし、該上面左右両側部を前記左右の両側面板の上部突出部の上端に載置し、
前記ミラー本体は背面、側面及び上面に隙間なく連続する請求項１または請求項２に記載の頭髪用バックミラー。
【請求項４】
前記上面板および上面左右両側部の先端側には大きな曲率の円弧部を設け、かつ、上面左右両側部の外側端と前記左右の両側面板の上部突出部の上端面との間に凹凸部からなる係合部を設けている請求項３に記載の頭髪用バックミラー。
【請求項５】
前記ミラー本体は円弧形状とし、頭頂部の中央前端を支点として径方向に放射状に分割し、これら分割材の支点部をヒンジ部の支軸で連結し、重ね合わせて折り畳めるようにしている請求項１に記載の頭髪用バックミラー。
【請求項６】
前記ミラー本体に一体的に固定した支持材または該ミラー本体に着脱自在に支持材を取り付け、該支持材は背負い型、自立型、他部材への取付型としている請求項１乃至請求項５のいずれか１項に記載の頭髪用バックミラー。
【請求項７】
前記ヒンジ部を介して連結した背面板、上面板、左右の両側面板は、前記上面板および左右の両側面板を背面板に対して一定角度で回転して傾斜保持する手段、または段階的に回転して所要角度で回転して傾斜保持する手段を備えている請求項２乃至請求項４のいずれか１項に記載の頭髪用バックミラー。
【請求項８】
前記ミラー本体は樹脂板、金属板または木板からなる別体の固定板の表面にガラス鏡を固定し、または樹脂板の表面に鏡面メッキ層を設けて形成としている請求項１乃至請求項７のいずれか１項に記載の頭髪用バックミラー。
【請求項９】
前記支持材は背負い型とし、左右の肩取付部の間に後方へ突出した連結部を備え、該連結部に前記背面板から突設した支軸を取り付け、前記肩取付部には肩峰に被せるクリップを設け、該クリップの内面を弾性体からなる腕通し用の円環部の上半周部の外面に固着している請求項６乃至請求項８のいずれか１項に記載の頭髪用バックミラー。
【請求項１０】
前記支持材は他部材への取付型とし、背面板から蛇腹管を支軸とて突設し、該支軸の下端に設けた球状軸部を支持材に設けた球面軸受で支持し、該支持材に取り付けたクリップで前記他部材に着脱自在に取り付ける構成としている請求項６乃至請求項８のいずれか１項の記載の頭髪用バックミラー。
【請求項１１】
前記ミラー本体に加熱手段、送風手段の少なくとも一方を付設している請求項１乃至請求項１０のいずれか１項に記載の頭髪用バックミラー。
【発明の詳細な説明】
【技術分野】
【０００１】
本発明は頭髪用バックミラーに関し、詳しくは、家庭で頭髪の染色（所謂、ヘヤーカラーダイ）をする場合に、正面側のミラーで後頭部および頭頂部を見ながら頭髪染色する場合、後頭部や頭頂部に部分的に「かつら」や「付け毛」をする場合、さらに、後頭部のヘアーメイクや髪飾りを取り付ける場合にも利用できるバックミラーに関する。
【背景技術】
【０００２】
この種の頭髪染色用バックミラーを本出願人は特許第４１６６５４７号公報を提供している。該バックミラーは図１４に示すように、ミラー本体１００を後頭部および頭頂部を囲む円弧形状とし、該ミラー本体１００に支持体１１０を備え、支持体１１０を肩にかける背負い型あるいは自立型としている。
【０００３】
前記バックミラーは、頭部にバックミラーを被って、正面側のミラーで後頭部および頭頂部を映しながら自分で頭髪の染色が手軽にできる利点を有する。
しかしながら、頭部に被って後頭部をすべて覆う形状としているため、不使用時にスペースをとる問題があり、その点で改良の余地がある。
【先行技術文献】
【特許文献】
【０００４】
【特許文献１】特許第４１６６５４７号公報
【発明の概要】
【発明が解決しようとする課題】
【０００５】
本発明は前記問題を解決するものであり、不使用時にスペースを取らないようにし、かつ、使用時にも見たい箇所だけ見ることができるようにし、使用時にもスペースをとらないように、かつ、前記特許文献１のバックミラーを種々の点で改良することを課題としている。
【課題を解決するための手段】
【０００６】
前記課題を解決するため、本発明は、顔の正面側を除いて、後頭部を囲む背面側、頭頂部を囲む上面側、頭部の左右両側を囲む側面側を平面状または円弧状に囲むミラー本体を備え、該ミラー本体を折り畳めるようにヒンジ部を介して複数に分割して構成していることを特徴とする頭髪用バックミラーを提供している。
【０００７】
前記ミラー本体は、それぞれ平面材からなる背面板、上面板、左右の側面板からなる四面鏡に分割し、前記背面板の上端縁に前記上面板、該背面板の左右両側縁に前記側面板をヒンジ部で連結し、前記上面板および側面板を背面板に重ねて折り畳みできるようにしている。
【０００８】
前記左右の両側面板の上部は外縁は上下直線方向に延長し、上端から前記上面板と前記ヒンジ部の上端に向けて傾斜した三角形状の上部突出部を設け、
前記上面板に背面板と同一幅の左右両側にヒンジ部を介して上面左右両側部を設け、該上面左右両側部は、前記背面板とのヒンジ部の左右両端から上端に向けて傾斜した三角形状とし、該上面左右両側部を前記左右の両側面板の上部突出部の上端に載置し、
前記ミラー本体は背面、側面及び上面に隙間なく連続する構成としてもよい。
【０００９】
さらに、前記上面板および上面左右両側部の先端側には大きな曲率の円弧部を設け、かつ、上面左右両側部の外側端と前記左右の両側面板の上部突出部の上端面との間に凹凸部からなる係合部を設けていることが好ましい。
該構成とすると、上面板および上面左右両側部を両側面板部で下方よりしっかりと保持でき、上面板の傾斜姿勢を安定させることが出来ると共に、使用者にも安心感を与えることができる。
さらに、前記上面板および上面左右両側部の先端側には大きな曲率の円弧部を設けているため、頭部に沿った形状とすることができる。
【００１０】
または、前記ミラー本体は円弧形状とし、頭頂部の中央前端を支点として径方向に放射状に分割し、これら分割材の支点部を支軸で連結し、重ね合わせて折り畳めるようにしてもよい。
【００１１】
本発明の頭髪用バックミラーは頭部の後頭部および頭頂部を見るための専用のミラーであるため、通常の三面鏡より小型である。かつ、本発明は前記のように、背面板、上面部および左右側面板に分割した場合は四面鏡となり、三面鏡に対して頭頂部を映すことができる上面部を備えていることを特徴としている。
このように、本発明は、特許文献１の前記問題点を解決するために、折り畳み式とし、不使用時には保管スペースを取らないようにしている。
【００１２】
前記ミラー本体に一体的に固定した支持材または該ミラー本体に着脱自在に支持材を取り付け、該支持材は背負い型、自立型、壁面等への固定型としている。
即ち、特許文献１と同様に、該支持材を背負い型あるいは自立型としても良いし、壁面等へ固定できるようにしてもよい。
【００１３】
支持材を着脱自在に取り付ける場合、前記背面板の下端または背面より前記支持材の取り付け部を突設し、または支持材の取付穴を設けている。
例えば、背面板の下端または背面よりネジ筒を突設し、あるいはネジ穴を設ける一方、支持材の先端に設けたネジをネジ筒にねじ込み、またはネジをネジ穴にねじ込んで支持材を取り付けることができるようにしている。
【００１４】
具体的には、支持材は特許文献１と同様に、背面板の下端より突出させた一対の脚部と、これら脚部の下端に連結していると共に横方向に延在する横軸部を備えたものとし、該横軸部の両側に布製等の肩掛け材を取り付けた背負い型としてもよい。
さらに、前記支持材は左右の肩取付部の間に後方へ突出した連結部を備え、該連結部に前記背面板から突設した支軸を取り付け、前記肩取付部には肩峰に被せるクリップを設け、該クリップの内面に弾性体からなる腕通し用の円環部の上半周部の外面に固着している。
【００１５】
前記支持材は他部材への取付型とした場合、背面板から蛇腹管を支軸とて突設し、該支軸の下端に設けた球状軸部を支持材に設けた球面軸受で支持で、該支持材に取り付けたクリップで前記他部材に着脱自在に取り付ける構成としている。
また、前記支持材を背面板の背面から突出するように取り付け、該支持材の先端に磁石、吸盤、フック等を取り付けて、壁等に固定してもよい。
例えば、浴室に取り付けた鏡の前で頭髪を染色する場合、鏡と対向位置の浴室のタイル壁面の吸盤を用いて固定することができる。また、金属材の表面に磁石を磁着して取り付けてもよい。さらに、フックを取り付けて壁に吊り下げてもよい。このように吸盤、磁石、フックを用いると、簡単に取り外すこともできると共に取付位置を変えることができる利点がある。
さらに、背面板から脚部を延長して設け、床から起立する自立型としてもよい。
【００１６】
前記ミラー本体は樹脂板、金属板または木板からなる別体の固定板の表面にガラス鏡を固定しても良い。また、特許文献１と同様に、樹脂板の表面に鏡面メッキ層を設けて形成としてもよい。其の際、樹脂製の本体部の表面に直接メッキを施しても良いし、鏡面メッキ層を設けたフィルムを本体部の表面に接着剤で固着してもよい。
【００１７】
前記ヒンジ部を介して連結した背面板、上面板、左右の両側面板は、前記上面板および左右の両側面板を背面板に対して一定角度で回転して傾斜保持する手段、または段階的に回転して所要角度で回転して傾斜保持する手段を備えていることが好ましい。
【００１８】
前記背面板と上面板、背面板と左右両側面板の間に設ける前記ヒンジ部は、例えば、ヒンジ結合する一方の前記固定板または樹脂板に軸受部を設けると共に、他方の固定板または樹脂板に前記軸受部に回転自在に支承される回転軸部を設けた形状とし、
または、背面板、上面板および左右両側面板の樹脂板を一体成形して、前記ヒンジ部を薄肉ヒンジ部で形成してもよい。
【００１９】
前記軸受部と回転軸部とを嵌合したヒンジ部では、軸受部に周方向に間隔をあけて凹部を設ける一方、該凹部に嵌合する凸部を回転軸部に設けておくと、所要の回転角度で停止し、背面板に対して上面板及び左右両側面板を所要角度で停止して、上面板および左右両側面板の傾斜角度を変えることができる。また、上面板のみ背面板から開いて傾斜させることもでき、左右両側面板のいずれか一方だけを開くこともできる。
【００２０】
前記樹脂板を一体成形して薄肉ヒンジ部を設ける場合は、該薄肉ヒンジ部の一端側から係止片を突設し、該係止片部の間隔をあけて凹部を設け、薄肉ヒンジ部の他端に設けた凸部に前記凹部を選択して嵌合することで、開き傾斜角度を変えることができる。
【００２１】
前記ミラー本体に加熱手段と送風手段の少なくとも一方を付設してもよい。
例えば、前記樹脂板の内部に熱線を埋設し、所要温度で加熱できる構成としてもよい。前記熱線に接続した電池収容部を設けても良いし、熱線に接続したプラグを設け、コンセントに差し込んでもよい。
このように、ミラー本体に加熱手段を付設すると、頭髪染色時に染色液を迅速に乾燥でき、染色時間を短時間とすることができる。
【００２２】
また、前記ミラー本体の背面板の背面にブロアを付設し、該ブロアからの送風を正面側に吹き出す開口を設けてもよい。
該吹き出し用の開口は前記ヒンジ部で背面板、上面板、左右両面部を連結する場合は、該ヒンジ部を設けた部分に隙間ができるため、該隙間を利用しても良いし、上面板や左右両面部の端部に吹き出し口を設けてもよい。
【発明の効果】
【００２３】
上述したように、本発明の頭髪用バックミラーは折り畳み式としているため、不使用時に保管スペースをとらない利点を有する。
また、必要な箇所、例えば、頭頂部を見たい場合には上面板を開いて傾斜させていることができ、使用時にも場所を取らない等の種々の利点を有する。
【図面の簡単な説明】
【００２４】
【図１】本発明の第一実施形態のバックミラーを示し、（Ａ）は斜視図、（Ｂ）は（Ａ）のＢ−Ｂ線断面図、（Ｃ）は（Ａ）のＣ−Ｃ線断面図である。
【図２】折り畳んだ状態を示す正面図である。
【図３】ヒンジ結合部を示し、（Ａ）は一部断面正面図、（Ｂ）は部分拡大断面図である。
【図４】ミラー本体と支持材との連結部を示す図面である。
【図５】選択的に用いる他の支持材との連結部を示す図面である。
【図６】使用状態を示す図面である。
【図７】第一実施形態の第１変形例を示す断面図である。
【図８】第一実施形態の第２変形例を示し、（Ａ）は断面図、（Ｂ）は一部拡大図である。
【図９】第二実施形態を示し、（Ａ）はミラー本体を開いた状態の正面図、（Ｂ）は側面図、（Ｃ）は部分的斜視図である。
【図１０】ミラー本体の側面板および上面板を傾斜させた状態の斜視図である。
【図１１】第三実施形態を示す要部斜視図である。
【図１２】第四実施形態を示し、（Ａ）は断面図、（Ｂ）は側面図である。
【図１３】第五実施形態を示し、（Ａ）は平面図、（Ｂ）は部分断面図である。
【図１４】従来例を示す図面である。
【発明を実施するための最良の形態】
【００２５】
以下、本発明の実施形態を図面を参照して説明する。
図１乃至図６に第一実施形態を示す。
図１に示すように、頭髪用バックミラーのミラー本体１は、後頭部、頭頂部および両側部を囲むことができる背面板２、上面板３および左右両側の側面板４、５を備えている。背面板２の上端に上面板３をヒンジ部６で連結し、背面板２の左右両側にヒンジ部７、８で側面板４、５を連結している。図１はヒンジ部６、７、８を支点として上面板３、左右の側面板４、５を開いた状態を示す。
前記背面板２は後頭部用のミラー、上面板３は頭頂部用のミラー、左右の側面板４、５はそれぞれ頭部の左右側面用のミラーとしている。
【００２６】
ミラー本体１は背面板２に対して上面板３、左右の側面板４、５を開いた状態で、頭部との間にブラシを持った手がスムーズに入れる程度の空間をあけるようにしている。よって、頭部よりも一回り大きく、かつ、後頭側部分２ａの下端は左右の肩より若干上方に位置する寸法設定としている。
【００２７】
前記背面板２、上面板３、左右の側面板４、５はそれぞれ平板形状とし、それぞれ樹脂板２ａ〜５ａの表面に鏡面メッキ層２ｂ〜５ｂを設けた形状としている。
背面板２は幅より長さが若干大きな矩形状としている。上面板３は背面板２と同一幅とし、長さは背面板２の１／２〜１／３程度としている、左右の側面板４、５は背面板２の長さと同一とし、幅は背面板２の１／２としている。
【００２８】
前記大きさとすることで、図２に示すように、背面板２、上面板３、左右の側面板４、５をヒンジ部６、７、８を支点として背面板２の正面側に左右の側面板４、５を折り畳み、さらに、その正面側の上側部に上面板３を折り畳んだ状態となる。よって、折り畳んだ状態の全面積は、背面板２の面積の矩形状となる。
【００２９】
前記ヒンジ部６は、図３（Ａ）に示すように、背面板２の上端の左右両端に軸穴を設けた軸受部１０を突設する一方、上面板３の下端に前記軸受部１０に軸穴回転自在に嵌合する回転軸部１１を突設している。
かつ、図３（Ｂ）に示すように、前記軸受部１０の９０度範囲に周方向に間隔をあけて４つの凹部１０ａを設ける一方、回転軸部１１には凹部１０ａ−１〜１０ａ−５のいずれかに嵌合する１つの凸部１１ａを設けている。凸部１１ａが凹部１０ａ−１に嵌合すると、上面板３が背面板２に重なる閉鎖位置とし、１０ａ−３で背面板２に対して前方へ直角向きに突出する位置、１０ａ−４、１０ａ−５は上向き傾斜して停止する位置、１０ａ−２は下向き傾斜した停止する位置としている。
なお、凹部の個数および周方向間隔は限定されず、さらに、無段階で傾斜位置を決めて停止できるようにしてもよい。
背面板２と左右の側面板４、５との間のヒンジ部７、８は前記ヒンジ部６と同様な構成とし、背面板２に重なって閉じると共に、所要角度で側方に開くようにしている。
【００３０】
さらに、前記背面板２の下端に、図１および図４に示すように、支持材１５を着脱自在に取り付ける一対のネジ筒１４を突設している。支持材１５は横軸１５ａから一対の縦軸１５ｂを突出させ、該縦軸１５ｂの先端ネジ棒１５ｃを設けている。該ネジ棒１５ｃを前記ネジ筒１４にネジ込むことによりミラー本体１に連結できるようにしている。前記縦軸１５ｂは首の左右両側に位置する間隔をあけ、横軸１５ａは肩幅程度の長さとしている。横軸１５ａの左右両端には、肩紐通し用のバネ性を持たせたフック部１５ｄ、１５ｅを突設し、これらフック部１５ｄ、１５ｅに円環形状とした布製の上記肩掛け材１８を通している。
さらに、長尺な脚部の先端にネジ軸を設け、脚部を連結して自立させてもよい。
【００３１】
また、図５に示すように、背面板２の背面側にもネジ筒１７を突設し、該ネジ筒１７に、吸盤１９に連結したネジ棒２１、磁石２０と連結したネジ棒２１、フック２２と連結したネジ棒２１を選択して、ネジ軸１７にネジ込んで連結可能としている。
吸盤１８を背面板２から突設すると、浴室のタイル壁面に吸着して固定することができる。また、磁石２０を取り付けると金属製の壁面や家具に固定できる。さらにフック２２を取り付けると壁面に固定した棒材に吊り下げることができる。
【００３２】
前記頭髪用バックミラーは図６に示すように、バックミラーで後頭部Ｈ１および頭頂部Ｈ２を正面側のミラーＭに映すことができるため、片手でブラシＢを持ち、他方の手で染色液の容器Ｃを持って頭髪染色を行うことができる。
図示のように、背負い型とする場合、背負った状態でバックミラーと頭部との間にブラシを持った手でスムーズに入る空間ができる。このように、背負い型とすると使用時にはスペースを取らないと共に、不要時には折り畳むことができ、保管にもスペースを取らない。
【００３３】
また、ミラー本体１は背面板２に対して上面板３、左右の側面板４、５をそれぞれヒンジ部６、７、８を支点として独立して開閉できるため、頭頂部だけを映したい時は上面板３だけを開いて映すことができる。かつ、開いた上面板３、側面板４、５の傾斜角度を変えることができ、映したい部分を簡単に確実かつ簡単に見ることができる。
【００３４】
このように、本発明に係わる頭髪用バックミラーを用いると、従来は手探りで行っていた後頭部および頭頂部の頭髪染色を正面側のミラーを見ながら行うことができ、後頭部および頭頂部の染色すべき部分あるいは全体を漏れ無く確実に染色することができる。
特に、背負い型とした場合、洗面所でミラーを見ながら立った姿勢でもバックミラーを使用することができ、かつ、両手が空くために、家庭において自分で頭髪染色を簡単かつ確実に行うことができる。
このように、家庭で簡単かつ確実に頭髪染色を行うことができるため、根元部分が伸びてきても、また、染色部分が脱色しても、其の都度、美容院で頭髪染色をしてもらう必要がなくなり、時間と費用とをカットできる利点がある。
【００３５】
さらに、頭髪を染色する場合に限らず、頭頂部や後頭部に部分的にかつらや付け毛をする場合、後頭部の頭髪に装飾品を付ける場合、ヘヤーメイクをする場合、頭髪用バックミラーを見ながら行うことができる。さらに、育毛剤を付けている場合には、単に頭頂部や後頭部の頭髪の状態を見たい場合にも利用できる。
【００３６】
図７、図８に第一実施形態の変形例を示す。
図７の第１変形例では、背面板２、上面板３、左右の側面板４、５は鏡面としてガラスの鏡３０を用い、別体の樹脂板、金属板または木板からなる固定板３１の表面に鏡３０を接着剤で固定している。このようにガラスの鏡３０を用いても薄い鏡を用いれば重量を軽減でき、かつ、背負い型とせずに自立型、固定型とした場合は鏡の重量が重くなっても、問題はない。
【００３７】
図８（Ａ）（Ｂ）に示す第２変形例では、背面板２、上面板３および左右の側面板４、５を一体成形した樹脂板３５で形成し、背面板２と上面板３の境界、背面板２と左右の両側面板４、５の境界に樹脂板３５に薄肉ヒンジ部３６を設けている。該樹脂板３５に前記のように鏡面メッキ、鏡面フィルム、またはガラス鏡を設けている。
前記薄肉ヒンジ３６では、一端側から係止片３７を突設し、該係止片３７に間隔をあけて係止穴３７ａを設ける一方、他端側に係止穴３７ａに嵌合する凸部３８を設けている。前記上面板３、側面板４、５を背面板２より開いて、凸部３８を係止片３７の係止穴に挿入すると、上面板３、側面板４、５を独立して所要角度で開くことができる。  
【００３８】
図９、図１０に第二実施形態を示す。
第二実施形態では、前記左右の側面板４、５の上部は外縁は上下直線方向に延長し、上端から上面板３とヒンジ部６の上端に向けて傾斜した三角形状の上部突出部４ａ、５ａを設けている。
前記上面板３は背面板２と同一幅の左右両側にヒンジ部３ａ、３ｂを介して上面左右両側部３ｄ、３ｅを設け、該上面左右両側部３ｄ、３ｅは、前記ヒンジ部６の左右両端から上端に向けて傾斜した三角形状としている。
【００３９】
前記上面板３および上面左右両側部３ｄ、３ｅの先端は曲率の大きな円弧としている。
かつ、上面左右両側部３ｄ、３ｅの外側端に凹部３ｆ、３ｆを設ける一方、前記左右の両側面板４、５の上部突出部４ａ、５ａの上端面に凸部４ｂ、５ｂを設けて凹凸嵌合できるようにしている。
【００４０】
前記左右の側面板４、５の上部突出部４ａ、５ａの傾斜角度α１と、上面板３の上面左右両側部３ｄ、３ｅの傾斜角度α２とは、α２＞α１として傾斜角度を変えている。
上面板３の上面左右両側部３ｄ、３ｅは上面板３との間のヒンジ部３ａ、３ｂを支点として上面左右両側部３ｄ、３ｅを下向きに屈曲させ、側面板４、５の上部突出部４ａ、５ａの上端に乗せている。該側面板４、５の開き角度を変えると、上面左右両側部３ｄ、３ｅの下向き傾斜角度も変わることになる。
また、前記のように、上部突出部４ａ、５ａの上端面に設けた凸部４ｂ、５ｂを上面左右両側部３ｄ、３ｅの外側端の凹部３ｆ、３ｆに嵌合すると、両側面板４、５の開き角度および上面板３および上面左右両側部３ｄ、３ｅの傾斜角度が一定となる。
【００４１】
このように、第二実施形態のバックミラーでは、両側面板４、５と上面板３との間を隙間なく連続でき、バックミラーで全周を覆うことができると共に、上面板３を前傾姿勢で安定保持することができる。
【００４２】
該第二実施形態のバックミラーは背負い型とし、背面板３の下部から後方下向き傾斜した支軸６０を突設している。一方、支持材６１は左右の肩取付部６１ａ、６１ｂの間に後方へ円弧状またはコ字状に突出した連結部６１ｃを備えた形状とし、該連結部６１ｃに背面板３から突設した支軸６０を取り付けている。
左右の肩取付部６１ａ、６１ｂには肩峰に被せる下向き円弧状のクリップ６３、６３を設け、該クリップ６３、６３の内面をゴムからなる腕通し用の円環材６４、６４の上半周部の外面に固着している。
【００４３】
前記した背負い型とすると、バックミラーは使用者の後頭部に大きな隙間をあけて取り付けることができる。かつ、洗面台の前に立って毛染めを行う場合、バックミラーを取り付ける部材を探す必要はなく、使い勝手がよくなる。
【００４４】
図１１に第三実施形態を示す。
第三実施形態では、支持材７０は他部材への取付型としている。
背面板３から蛇腹管からなる支軸７１を突設し、該支軸７１の下端に設けた球状軸部を支持材７０に設けた球面軸受で回転自在に連結した軸受部分７２で支持している。支持材７０にはクリップ７３を設け、椅子等の他部材７５に着脱自在に取り付ける構成としている。
なお、支軸７１は蛇腹管に伸縮管を連続して設け、他部材７５の配置位置と使用者の位置と間の距離に応じて伸縮できるようにしてもよい。
【００４５】
図１２（Ａ）（Ｂ）に第四実施形態を示す。
第四実施形態では、加熱および送風手段を付設している。
図１２（Ａ）に示すように、前記背面板２、上面板３、左右の側面板４、５の樹脂板に熱線４０を埋設している。該熱線４０と接続したコード４１の先端にプラグ４２を設けて電源のコンセントと接続できるようにしている。これにより、ミラー本体１を所要温度で加熱でき、該ミラー本体１の加熱により頭髪に熱を与えて、染料を早期に乾燥することができる。なお、背面板２にだけ熱線を埋設してもよい。
【００４６】
さらに、図１２（Ｂ）に示すように、背面板２の背部にモータ付きブロア４５を付設し、該モータと接続した電線を前記熱線４０と接続した電線をコード４１内に配線して電源と接続できるようにしている。
ブロア４５の送風吹き出し口は前記ヒンジ部６〜８の隙間から頭部に送風を当てることができる。また、上面板３、側面板４、５の先端に内部側に向けて吹き出す送風口を設けてもよい。
なお、加熱手段および送風手段は前記に限定されず、ヒータを付設して、ブロアからの風をヒータで加熱して熱風を頭部に当てるようにしても良い。
【００４７】
図１３（Ａ）（Ｂ）に第五実施形態を示す。
第五実施形態はミラー本体１を前記特許文献１と同様な円弧形状としている。
前記円弧形状のミラー本体１を頭頂部に被せる部分の中央前端を支点とし、該支点から径方向に放射状に３枚に分割している。この３分割した中央部５０と左右両側面板５１、５２は前記支点に当たる部分に貫通穴５０ａ〜５２ａを設け、支軸５５を通して回転自在に連結している。
【００４８】
該構成とすることで、中央部５０を挟んで左側面板５１を内周側、右側面板側５２を外周側に重ねて折り畳めると共に、使用時には、中央部５０の両側に左右の側面板５１、５２を配置することができる。
前記中央部５０の下端に第一実施形態と同様にネジ筒１４を設けている点は同様である。第三実施形態の他の構成は前記第一実施形態と同様であるため、説明を省略する。
【００４９】
本発明は前記実施形態に限定されず、本発明の要旨を越えない範囲の種々の形態を含む。例えば、背面板、上面板および左右の側面板をそれぞれ矩形状とせずに、上面板の両側をテーパ形状と、側面板の上端縁や下端縁をテーパ形状としてもよい。かつ、円弧形状とした場合に４分割して重ねた状態の面積を小さくしてもよい。さらに、ヒンジ部にコイルバネを設けても良いし、上面板、左右面部を開いた状態で一定位置に固定できるようにしてもよい。また、背負い式の場合、横軸は両肩にのせるため湾曲させてもよい。
【符号の説明】
【００５０】
１  ミラー本体
２  背面板
３  上面板
４、５  側面板
６〜８  ヒンジ部
１４  ネジ筒
【図１】
2010057889.tif 000003
【図２】
2010057889.tif 000004
【図３】
2010057889.tif 000005
【図４】
2010057889.tif 000006
【図５】
2010057889.tif 000007
【図６】
2010057889.tif 000008
【図７】
2010057889.tif 000009
【図８】
2010057889.tif 000010
【図９】
2010057889.tif 000011
【図１０】
2010057889.tif 000012
【図１１】
2010057889.tif 000013
【図１２】
2010057889.tif 000014
【図１３】
2010057889.tif 000015
【図１４】
2010057889.tif 000016